(57)【要約】【課題】空調ガイド装置を提供する。【解決手段】本発明の空調ガイド装置は空調本体送風口と循環換気の対象物との間に装設され、前記空調ガイド装置はガイドチューブと、第一接合部材と、第二接合部材とを備える。前記ガイドチューブは第一開口部及び第二開口部を有する。前記第一接合部材は空調本体送風口に装設され、前記ガイドチューブの第一開口部に連結される第一軸継手台を有する。前記第二接合部材は循環換気の対象物に装設され、前記ガイドチューブの第二開口部に連結される第二軸継手台を有する。これにより、前記空調ガイド装置が空調本体送風口と循環換気の対象物との間に装設され、空調設備の気流が換気とする対象物(例えば、通気シート)に導流され、前記循環換気の対象物に使用される換気効果が改善される。【選択図】図１
2019128138.tif 000002
【特許請求の範囲】
【請求項１】
空調本体送風口と循環換気の対象物との間に装設される空調ガイド装置であって、
第一開口部及び第二開口部を有するガイドチューブと、
空調本体送風口に装設され、前記ガイドチューブの第一開口部に連結される第一軸継手台を有する第一接合部材と、
循環換気の対象物に装設され、前記ガイドチューブの第二開口部に連結される第二軸継手台を有する第二接合部材とを備えることを特徴とする空調ガイド装置。
【請求項２】
前記第二接合部材と前記循環換気の対象物との間には第一排気部材が更に設置されることを特徴とする請求項１に記載の空調ガイド装置。
【請求項３】
ガイドチューブは蛇腹チューブであることを特徴とする請求項１に記載の空調ガイド装置。
【請求項４】
前記ガイドチューブの第一開口部と第二開口部との間には第二排気部材が更に設置されることを特徴とする請求項１または２に記載の空調ガイド装置。
【請求項５】
前記第二排気部材は少なくとも１つの側面排気孔を有し、これにより前記ガイドチューブ内の空調気流が部分的に導出され、室内環境の空気の対流が促され、好ましい環境温度調節効果が達成されることを特徴とする請求項４に記載の空調ガイド装置。
【請求項６】
前記第一接合部材と前記空調本体送風口との間には結合用キット及び吸着用キットが設置され、前記結合用キットは対になって相互に固定され、前記第一接合部材及び前記空調本体送風口の上端箇所にそれぞれ設置され、前記吸着用キットは対になって相互に吸着され、前記第一接合部材及び前記空調本体送風口の下端箇所にそれぞれ設置されることを特徴とする請求項１に記載の空調ガイド装置。
【請求項７】
前記結合用キットは対になって相互に固定されるフックであり、前記吸着用キットは対になって相互に吸着される磁石であることを特徴とする請求項６に記載の空調ガイド装置。
【請求項８】
前記第一接合部材は磁気吸着素子により前記空調本体送風口に結合されることを特徴とする請求項１に記載の空調ガイド装置。
【請求項９】
前記磁気吸着素子は金属片であることを特徴とする請求項８に記載の空調ガイド装置。
【請求項１０】
前記空調本体送風口は車内の空調本体送風口であり、且つ前記循環換気の対象物は車のシートであることを特徴とする請求項１に記載の空調ガイド装置。
【発明の詳細な説明】
【技術分野】
【０００１】
本発明は、空調ガイド装置に関し、より詳しくは、空調本体送風口と循環空調の対象物との間に装設され、前記対象物の換気効果を向上させる空調ガイド装置に関する。
【背景技術】
【０００２】
周知のように、空調設備は主にその場所の環境の空気の調整に用いられ、前記場所の温度調節の役割を担う。目下、空調設備は装設される場所の違いによって室内専用及び車両専用が存在する。室内専用であれ車両専用の空調設備であれ、通常は室内／車内機の外ケースまたは壁上の送風口に設置され、室内／車内環境に対して空気の対流及び循環を行うことによって温度調節を行い、一定の時間が経過すると環境の温度変化を知覚できるようになる。即ち、空調設備は環境の温度の調節を行うことで快適に過ごせるようにする効果を達成させる。
【発明の概要】
【発明が解決しようとする課題】
【０００３】
しかしながら、従来の空調設備が設置された環境に置かれた対象物に対して換気を行うものは存在しないが、空調設備が設置された環境において座っている椅子の換気が不十分であるため熱を持って悶々とすることを多くの人が経験しており、これをいかに改善させるかが検討に価する課題であった。   
【０００４】
そこで、本発明者は上記の欠点が改善可能と考え、鋭意検討を重ねた結果、合理的設計で上記の課題を効果的に改善する本発明の提案に到った。  
【０００５】
かかる従来の実情に鑑みて、本発明は、空調ガイド装置を提供することを目的とする。すなわち、空調本体送風口と循環換気の対象物との間に装設されることにより、空調設備の気流が換気する対象物（例えば、通気シート）に導流され、前記対象物に対する換気効果が改善する。
【課題を解決するための手段】
【０００６】
上述した課題を解決し、上記目的を達成するための本発明は、空調本体送風口と循環換気の対象物との間に装設される空調ガイド装置であって、前記空調ガイド装置は、第一開口部及び第二開口部を有するガイドチューブと、空調本体送風口に装設され、前記ガイドチューブの第一開口部に連結される第一軸継手台を有する第一接合部材と、循環換気の対象物に装設され、前記ガイドチューブの第二開口部に連結される第二軸継手台を有する第二接合部材とを備える。  
【０００７】
好ましい実施形態において、前記第二接合部材と前記循環換気の対象物との間には第一排気部材が更に設置される。  
【０００８】
好ましい実施形態において、本発明に係る空調ガイド装置の特徴は、前記ガイドチューブの第一開口部と第二開口部との間には第二排気部材が更に設置され、前記第二排気部材は少なくとも１つの側面排気孔を有する。これにより、前記ガイドチューブ内の空調気流が部分的に導出され、室内／車内環境の空気の対流が促され、好ましい環境の温度の調節効果が達成される。
【図面の簡単な説明】
【０００９】
【図１】本発明の第１実施形態に係る空調ガイド装置を示す外観斜視図である。
【図２】本発明の第２実施形態に係る空調ガイド装置を示す外観斜視図である。
【図３】本発明の第３実施形態に係る空調ガイド装置を示す外観斜視図である。
【図４】本発明の第４実施形態に係る空調ガイド装置を示す外観斜視図である。
【図５】本発明の第５実施形態に係る空調ガイド装置の前記第一接合部材及び前記空調本体送風口を示す組立の概略図である。
【発明を実施するための形態】
【００１０】
以下、本発明を実施するための最良の形態を、実施例に基づいて詳細に説明する。尚、以下に説明する実施の形態は、特許請求の範囲に記載された本発明の内容を限定するものではない。また、以下に説明される構成の全てが、本発明の必須要件であるとは限らない。
[第１実施例]  
【００１１】
図１は本発明の第１実施形態に係る空調ガイド装置を示す外観斜視図である。本実施形態の空調ガイド装置１は、空調本体送風口２と循環換気の対象物３との間に装設され、前記循環換気の対象物３はよくある一般的な通気シートである。前記空調ガイド装置１はガイドチューブ１１と、第一接合部材１２と、第二接合部材１３とを備え、前記ガイドチューブ１１としては伸縮性及び可撓性に優れる蛇腹チューブが採用され、且つ両端には第一開口部及び第二開口部（図示せず）を有する。前記第一接合部材１２は前記空調本体送風口２に装設され、前記ガイドチューブ１１の第一開口部に連結される第一軸継手台１２０を有する。前記第二接合部材１３は前記循環換気の対象物３に装設され、前記ガイドチューブ１１の第二開口部に連結される第二軸継手台１３０を有する。よって、本実施形態に係る空調ガイド装置１により前記空調本体送風口２の気流が換気したい前記循環換気の対象物３（例えば、通気シート）に導流され、前記循環換気の対象物３が使用される際の換気効果を改善させる。
[第２実施例]  
【００１２】
次は、図２は本発明の第２実施形態に係る空調ガイド装置を示す外観斜視図である。本実施形態の空調ガイド装置１は同様に前記ガイドチューブ１１と、前記第一接合部材１２と、前記第二接合部材１３とを備え、その差異は、本実施形態の空調ガイド装置１が第一排気部材１４を更に備える点である。前記第一排気部材１４として本実施形態では換気扇が採用され、前記第二接合部材１３と前記循環換気の対象物３（例えば、通気シート）との間に設置され、前記循環換気の対象物３（例えば、通気シート）が使用される際の換気効果を改善させる。第１実施形態と比較すると、本実施形態では前記第一排気部材１４が設置されることにより、前記循環換気の対象物３が使用される際の換気効果がより向上する。
[第３実施例]  
【００１３】
次は、図３は本発明の第３実施形態に係る空調ガイド装置を示す外観斜視図である。本実施形態の空調ガイド装置１は第２実施形態と比較すると、同様に前記ガイドチューブ１１と、前記第一接合部材１２と、前記第二接合部材１３と、前記第一排気部材１４とを備え、その差異は、本実施形態の空調ガイド装置１が第二排気部材１５を更に備える点である。前記第二排気部材１５として本実施形態では同様に換気扇が採用され、前記ガイドチューブ１１の第一開口部と第二開口部との間に設置され、且つ前記第二排気部材１５は少なくとも１つの側面排気孔１５０を有する。これにより、前記ガイドチューブ１１内の空調気流が部分的に導出され、室内環境の空気の対流が促され、好ましい環境の温度の調節効果が達成される。
[第４実施例]  
【００１４】
次は、図４は本発明の第４実施形態に係る空調ガイド装置を示す外観斜視図である。本実施形態の空調ガイド装置１は第１実施形態のものと比較すると、同様に前記ガイドチューブ１１と、前記第一接合部材１２と、前記第二接合部材１３とを備え、その差異は、本実施形態の空調ガイド装置１が車内に応用され、前記循環換気の対象物３が子供用安全シート等の車用のシートである点である。また、本実施形態の空調ガイド装置１は実際の需要に応じて上述の第２実施形態に記載の第一排気部材及び／或いは第３実施形態に記載の第二排気部材を備える。理解を容易にするため、図４では前記第二排気部材１５のみ図示する。これにより、本実施形態の空調ガイド装置１は前記空調本体送風口２の気流を換気したい前記循環換気の対象物３（例えば、子供用安全シート）に導流させて前記循環換気の対象物３が使用される際の換気効果を改善させるのみならず、同時に前記ガイドチューブ１１内の空調気流が部分的に導出されて車内環境の空気の対流が促され、好ましい環境の温度の調節効果も達成される。なお、車用空調本体の設計に対応させるため、前記第一接合部材１２が磁気吸着素子４（例えば、金属片）により前記空調本体送風口２に結合されることにより、装設が堅固になり、取り外しも便利になるという付加効果も達成される。
[第５実施例]  
【００１５】
次は、図５は本発明の第５実施形態に係る空調ガイド装置を示す外観斜視図である。本実施形態は前記第一接合部材１２及び前記空調本体送風口２の接合を考慮しているが（上述の第１実施形態乃至第４実施形態に均しく応用可能）、但し、本実施形態は第４実施形態の磁気吸着素子４を備えず、前記第一接合部材１２と前記空調本体送風口２との間には結合用キット５及び吸着用キット６が設置される。前記結合用キット５は対になって相互に固定されるフックであり、前記第一接合部材１２及び前記空調本体送風口２の上端箇所にそれぞれ設置される。前記吸着用キット６は対になって相互に吸着される磁石であり、前記第一接合部材１２及び前記空調本体送風口２の下端箇所にそれぞれ設置される。このように、結合においては前記第一接合部材１２及び前記空調本体送風口２の上端箇所の結合用キット５が装設されるのみで、前記第一接合部材１２の下端が前記空調本体送風口２にスムーズに当接されて前記第二結合用キットが自動的に固定され、高速で堅固な結合効果が達成される。  
【００１６】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００１７】
１  空調ガイド装置
２  空調本体送風口
３  循環換気の対象物
４  磁気吸着素子
１１  ガイドチューブ
１２  第一接合部材
１３  第二接合部材
１４  第一排気部材
１５  第二排気部材
１２０  第一軸継手台
１３０  第二軸継手
１５０  側面排気孔
５  結合用キット
６  吸着用キット
【図１】
2019128138.tif 000003
【図２】
2019128138.tif 000004
【図３】
2019128138.tif 000005
【図４】
2019128138.tif 000006
【図５】
2019128138.tif 000007